【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
符号化されたビデオデータを含むビットストリームから、前記ビデオデータの現在ピクチャの現在スライスのスライスヘッダを取得することと、ここにおいて、
前記現在ピクチャのための参照ピクチャのセットは、以下の参照ピクチャサブセット：ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒおよびＲｅｆＰｉｃＳｅｔＬｔＦｏｌｌからなり、ＲｅｆＰｉｃＳｅｔＳｔＬｔＣｕｒｒおよびＲｅｆＰｉｃＳｅｔＬｔＦｏｌｌ中の参照ピクチャは、長期参照ピクチャ（ＬＴＲＰ）であり、
１つまたは複数のＬＴＲＰエントリのセットが前記スライスヘッダ中で受信され、
前記１つまたは複数のＬＴＲＰエントリのセットのうちの各それぞれのＬＴＲＰエントリが、第１のシンタックス要素および第２のシンタックス要素からなるタプルであり、前記第１のシンタックス要素は、前記ＬＴＲＰのそれぞれのＬＴＲＰのピクチャ順序カウント（ＰＯＣ）値の最下位ビットを示し、前記第２のシンタックス要素は、前記それぞれのＬＴＲＰが前記現在ピクチャによって参照のために使用されるかどうかを示し、
前記スライスヘッダは、前記スライスヘッダが、同じ参照ピクチャを参照する２つのＬＴＲＰエントリをシグナリングすることを禁止する制限に従う、
復号ピクチャバッファに前記参照ピクチャのうちの１つまたは複数を記憶することと、前記１つまたは複数の参照ピクチャは、ビデオブロックを備える、
前記復号ピクチャバッファに記憶された前記１つまたは複数の参照ピクチャの前記ビデオブロックに基づいて、前記ビデオデータの予測を実行することとを備える方法。
【請求項２】
前記方法が、前記ビットストリームから、前記現在ピクチャに適用可能であるシーケンスパラメータセット（ＳＰＳ）を取得することをさらに備え、前記ＳＰＳが、特定の参照ピクチャを参照する特定のＬＴＲＰエントリを含み、前記特定のＬＴＲＰエントリは、前記１つまたは複数のＬＴＲＰエントリのセット中にあり、
前記特定のＬＴＲＰエントリは、前記スライスヘッダが前記特定のＬＴＲＰエントリへのインデックスを含むことによって前記スライスヘッダ中でシグナリングされる、請求項１に記載の方法。
【請求項３】
前記特定のＬＴＲＰエントリは第１のＬＴＲＰエントリであり、前記スライスヘッダは、前記特定の参照ピクチャが前記現在ピクチャの長期参照ピクチャセット中にあることを第２のＬＴＲＰエントリが示さない場合のみ、前記第２のＬＴＲＰエントリを含む、請求項２に記載の方法。
【請求項４】
前記特定のＬＴＲＰエントリは、第１のＬＴＲＰエントリであり、
前記ＳＰＳが前記第１のＬＴＲＰエントリと第２のＬＴＲＰエントリとを含み、
前記スライスヘッダは、前記特定の参照ピクチャが前記現在ピクチャの長期参照ピクチャセット中にあることを前記第２のＬＴＲＰエントリが示さない場合のみ、前記第２のＬＴＲＰエントリへのインデックスを含む、請求項２に記載の方法。
【請求項５】
前記ＳＰＳは、前記ＳＰＳが同じＬＴＲＰエントリの２つ以上のコピーを含むことを禁止する制限に従う、請求項２に記載の方法。
【請求項６】
前記スライスヘッダは、前記スライスヘッダが前記ＳＰＳ中の単一のＬＴＲＰエントリへの２つのインデックスを含むことを禁止する制限に従う、請求項２に記載の方法。
【請求項７】
前記ＳＰＳ中の各それぞれのＬＴＲＰエントリについて、前記スライスヘッダは、前記ＳＰＳ中の前記それぞれのＬＴＲＰエントリに一致するＬＴＲＰエントリを含まない、請求項２に記載の方法。
【請求項８】
前記特定のＬＴＲＰエントリは第１のＬＴＲＰエントリであり、前記スライスヘッダは、前記スライスヘッダが前記ＳＰＳ中の等価ＬＴＲＰエントリへのインデックスを含む場合、前記スライスヘッダが第２のＬＴＲＰエントリを含むことを禁止する制限に従い、ここにおいて、前記第２のＬＴＲＰエントリが最下位ビット（ＬＳＢ）シンタックス要素と使用シンタックス要素とを含み、前記等価ＬＴＲＰエントリが、前記第２のＬＴＲＰエントリの前記ＬＳＢシンタックス要素に一致するＬＳＢシンタックス要素を含み、前記等価ＬＴＲＰエントリが、前記第２のＬＴＲＰエントリの前記使用シンタックス要素に一致する使用シンタックス要素を含み、ここにおいて、前記第２のＬＴＲＰエントリの前記ＬＳＢシンタックス要素と前記等価ＬＴＲＰエントリの前記ＬＳＢシンタックス要素とがピクチャ順序カウント（ＰＯＣ）値のＬＳＢを示し、ここにおいて、前記第２のＬＴＲＰエントリの前記使用シンタックス要素と前記等価ＬＴＲＰエントリの前記使用シンタックス要素とは、前記現在ピクチャによって参照のために参照ピクチャが使用されるかどうかを示す、請求項２に記載の方法。
【請求項９】
前記スライスヘッダは、特定の参照ピクチャが前記現在ピクチャの長期参照ピクチャセット中にあることを示す第１のＬＴＲＰエントリを含み、前記特定の参照ピクチャが前記現在ピクチャの前記長期参照ピクチャセット中にあることを第２のＬＴＲＰエントリが示さない場合のみ、前記第２のＬＴＲＰエントリを含む、請求項１に記載の方法。
【請求項１０】
前記スライスヘッダは、前記スライスヘッダが、同じＰＯＣ値を有する参照ピクチャを示す２つのＬＴＲＰエントリを含むことを禁止する制限に従う、請求項１に記載の方法。
【請求項１１】
前記スライスヘッダは、前記ＲｅｆＰｉｃＳｅｔＬｔＣｕｒｒが、同じＰＯＣ値をもつ２つの参照ピクチャを含むことを禁止する制限と、前記ＲｅｆＰｉｃＳｅｔＬｔＦｏｌｌが、同じＰＯＣ値をもつ２つの参照ピクチャを含むことを禁止する制限と、前記ＲｅｆＰｉｃＳｅｔＬｔＣｕｒｒおよび前記ＲｅｆＰｉｃＳｅｔＬｔＦｏｌｌが同じＰＯＣ値をもつ参照ピクチャを含むことを禁止する制限とに従う、請求項１に記載の方法。
【請求項１２】
復号ピクチャバッファと、
ビットストリームから、ビデオデータの現在ピクチャの現在スライスのスライスヘッダを取得することと、ここにおいて、
前記現在ピクチャのための参照ピクチャのセットは、以下の参照ピクチャサブセット：ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒおよびＲｅｆＰｉｃＳｅｔＬｔＦｏｌｌからなり、ＲｅｆＰｉｃＳｅｔＳｔＬｔＣｕｒｒおよびＲｅｆＰｉｃＳｅｔＬｔＦｏｌｌ中の参照ピクチャは、長期参照ピクチャ（ＬＴＲＰ）であり、
１つまたは複数のＬＴＲＰエントリのセットが前記スライスヘッダ中で受信され、
前記１つまたは複数のＬＴＲＰエントリのセットのうちの各それぞれのＬＴＲＰエントリが、第１のシンタックス要素および第２のシンタックス要素からなるタプルであり、前記第１のシンタックス要素は、前記ＬＴＲＰのそれぞれのＬＴＲＰのピクチャ順序カウント（ＰＯＣ）値の最下位ビットを示し、前記第２のシンタックス要素は、前記それぞれのＬＴＲＰが前記現在ピクチャによって参照のために使用されるかどうかを示し、
前記スライスヘッダは、前記スライスヘッダが、同じ参照ピクチャを参照する２つのＬＴＲＰエントリをシグナリングすることを禁止する制限に従う、
前記復号ピクチャバッファに前記参照ピクチャのうちの１つまたは複数を記憶することと、前記１つまたは複数の参照ピクチャは、ビデオブロックを備える、
前記復号ピクチャバッファに記憶された前記１つまたは複数の参照ピクチャの前記ビデオブロックに基づいて、前記ビデオデータの予測を実行することと
を行うように構成された１つまたは複数のプロセッサとを備えるビデオ復号デバイス。
【請求項１３】
前記１つまたは複数のプロセッサが、前記ビットストリームから、前記現在ピクチャに適用可能であるシーケンスパラメータセット（ＳＰＳ）を取得するようにさらに構成され、前記ＳＰＳが、特定の参照ピクチャを参照する特定のＬＴＲＰエントリを含み、前記特定のＬＴＲＰエントリは、前記１つまたは複数のＬＴＲＰエントリのセット中にあり、
前記特定のＬＴＲＰエントリは、前記スライスヘッダが前記特定のＬＴＲＰエントリへのインデックスを含むことによって前記スライスヘッダ中でシグナリングされる、請求項１２に記載のビデオ復号デバイス。
【請求項１４】
前記特定のＬＴＲＰエントリは第１のＬＴＲＰエントリであり、前記スライスヘッダは、前記特定の参照ピクチャが前記現在ピクチャの長期参照ピクチャセット中にあることを第２のＬＴＲＰエントリが示さない場合のみ、前記第２のＬＴＲＰエントリを含む、請求項１３に記載のビデオ復号デバイス。
【請求項１５】
前記特定のＬＴＲＰエントリは、第１のＬＴＲＰエントリであり、
前記ＳＰＳが前記第１のＬＴＲＰエントリと第２のＬＴＲＰエントリとを含み、
前記スライスヘッダは、前記特定の参照ピクチャが前記現在ピクチャの長期参照ピクチャセット中にあることを前記第２のＬＴＲＰエントリが示さない場合のみ、前記第２のＬＴＲＰエントリへのインデックスを含む、請求項１３に記載のビデオ復号デバイス。
【請求項１６】
前記ＳＰＳは、前記ＳＰＳが同じＬＴＲＰエントリの２つ以上のコピーを含むことを禁止する制限に従う、請求項１３に記載のビデオ復号デバイス。
【請求項１７】
前記スライスヘッダは、前記スライスヘッダが前記ＳＰＳ中の単一のＬＴＲＰエントリへの２つのインデックスを含むことを禁止する制限に従う、請求項１３に記載のビデオ復号デバイス。
【請求項１８】
前記ＳＰＳ中の各それぞれのＬＴＲＰエントリについて、前記スライスヘッダは、前記ＳＰＳ中の前記それぞれのＬＴＲＰエントリに一致するＬＴＲＰエントリを含まない、請求項１３に記載のビデオ復号デバイス。
【請求項１９】
前記特定のＬＴＲＰエントリは第１のＬＴＲＰエントリであり、前記スライスヘッダは、前記スライスヘッダが前記ＳＰＳ中の等価ＬＴＲＰエントリへのインデックスを含む場合、前記スライスヘッダが第２のＬＴＲＰエントリを含むことを禁止する制限に従い、ここにおいて、前記第２のＬＴＲＰエントリが最下位ビット（ＬＳＢ）シンタックス要素と使用シンタックス要素とを含み、前記等価ＬＴＲＰエントリが、前記第２のＬＴＲＰエントリの前記ＬＳＢシンタックス要素に一致するＬＳＢシンタックス要素を含み、前記等価ＬＴＲＰエントリが、前記第２のＬＴＲＰエントリの前記使用シンタックス要素に一致する使用シンタックス要素を含み、ここにおいて、前記第２のＬＴＲＰエントリの前記ＬＳＢシンタックス要素と前記等価ＬＴＲＰエントリの前記ＬＳＢシンタックス要素とがピクチャ順序カウント（ＰＯＣ）値のＬＳＢを示し、ここにおいて、前記第２のＬＴＲＰエントリの前記使用シンタックス要素と前記等価ＬＴＲＰエントリの前記使用シンタックス要素とは、前記現在ピクチャによって参照のために参照ピクチャが使用されるかどうかを示す、請求項１３に記載のビデオ復号デバイス。
【請求項２０】
前記スライスヘッダは、特定の参照ピクチャが前記現在ピクチャの長期参照ピクチャセット中にあることを示す第１のＬＴＲＰエントリを含み、前記特定の参照ピクチャが前記現在ピクチャの前記長期参照ピクチャセット中にあることを第２のＬＴＲＰエントリが示さない場合のみ、前記第２のＬＴＲＰエントリを含む、請求項１２に記載のビデオ復号デバイス。
【請求項２１】
前記スライスヘッダは、前記スライスヘッダが、同じＰＯＣ値を有する参照ピクチャを示す２つのＬＴＲＰエントリを含むことを禁止する制限に従う、請求項１２に記載のビデオ復号デバイス。
【請求項２２】
前記スライスヘッダは、前記ＲｅｆＰｉｃＳｅｔＬｔＣｕｒｒが、同じＰＯＣ値をもつ２つの参照ピクチャを含むことを禁止する制限と、前記ＲｅｆＰｉｃＳｅｔＬｔＦｏｌｌが、同じＰＯＣ値をもつ２つの参照ピクチャを含むことを禁止する制限と、前記ＲｅｆＰｉｃＳｅｔＬｔＣｕｒｒおよび前記ＲｅｆＰｉｃＳｅｔＬｔＦｏｌｌが同じＰＯＣ値をもつ参照ピクチャを含むことを禁止する制限とに従う、請求項１２に記載のビデオ復号デバイス。
【請求項２３】
前記ビデオ復号デバイスは、
集積回路、
マイクロプロセッサ、または
ワイヤレス通信デバイス、
のうちの少なくとも１つを備える、請求項１２に記載のビデオ復号デバイス。
【請求項２４】
復号ビデオデータを表示するように構成されたディスプレイをさらに備える、請求項１２に記載のビデオ復号デバイス。
【請求項２５】
ビットストリームから、ビデオデータの現在ピクチャの現在スライスのスライスヘッダを取得するための手段と、ここにおいて、
前記現在ピクチャのための参照ピクチャのセットは、以下の参照ピクチャサブセット：ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒおよびＲｅｆＰｉｃＳｅｔＬｔＦｏｌｌからなり、ＲｅｆＰｉｃＳｅｔＳｔＬｔＣｕｒｒおよびＲｅｆＰｉｃＳｅｔＬｔＦｏｌｌ中の参照ピクチャは、長期参照ピクチャ（ＬＴＲＰ）であり、
１つまたは複数のＬＴＲＰエントリのセットが前記スライスヘッダ中で受信され、
前記１つまたは複数のＬＴＲＰエントリのセットのうちの各それぞれのＬＴＲＰエントリが、第１のシンタックス要素および第２のシンタックス要素からなるタプルであり、前記第１のシンタックス要素は、前記ＬＴＲＰのそれぞれのＬＴＲＰのピクチャ順序カウント（ＰＯＣ）値の最下位ビットを示し、前記第２のシンタックス要素は、前記それぞれのＬＴＲＰが前記現在ピクチャによって参照のために使用されるかどうかを示し、
前記スライスヘッダは、前記スライスヘッダが、同じ参照ピクチャを参照する２つのＬＴＲＰエントリをシグナリングすることを禁止する制限に従う、
復号ピクチャバッファに前記参照ピクチャのうちの１つまたは複数を記憶するための手段と、前記１つまたは複数の参照ピクチャは、ビデオブロックを備える、
前記復号ピクチャバッファに記憶された前記１つまたは複数の参照ピクチャの前記ビデオブロックに基づいて、前記ビデオデータの予測を実行するための手段とを備えるビデオ復号デバイス。
【請求項２６】
ビデオ復号デバイスによって実行されたとき、
ビットストリームから、現在ピクチャの現在スライスのスライスヘッダを取得することと、ここにおいて、
前記現在ピクチャのための参照ピクチャのセットは、以下の参照ピクチャサブセット：ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒおよびＲｅｆＰｉｃＳｅｔＬｔＦｏｌｌからなり、ＲｅｆＰｉｃＳｅｔＳｔＬｔＣｕｒｒおよびＲｅｆＰｉｃＳｅｔＬｔＦｏｌｌ中の参照ピクチャは、長期参照ピクチャ（ＬＴＲＰ）であり、
１つまたは複数のＬＴＲＰエントリのセットが前記スライスヘッダ中でシグナリングされ、
前記１つまたは複数のＬＴＲＰエントリのセットのうちの各それぞれのＬＴＲＰエントリが、第１のシンタックス要素および第２のシンタックス要素からなるタプルであり、前記第１のシンタックス要素は、前記ＬＴＲＰのそれぞれのＬＴＲＰのピクチャ順序カウント（ＰＯＣ）値の最下位ビットを示し、前記第２のシンタックス要素は、前記それぞれのＬＴＲＰが前記現在ピクチャによって参照のために使用されるかどうかを示し、
前記スライスヘッダは、前記スライスヘッダが、同じ参照ピクチャを参照する２つのＬＴＲＰエントリをシグナリングすることを禁止する制限に従う、
復号ピクチャバッファに前記参照ピクチャのうちの１つまたは複数を記憶することと、前記１つまたは複数の参照ピクチャは、ビデオブロックを備える、
前記復号ピクチャバッファに記憶された前記１つまたは複数の参照ピクチャの前記ビデオブロックに基づいて、前記ビデオデータの予測を実行することとを行うように前記ビデオ復号デバイスを構成する命令を記憶した非一時的なコンピュータ可読記憶媒体。
【請求項２７】
ビデオデータを符号化する方法であって、前記方法は、
ビデオデータを符号化することと、ここにおいて、
前記ビデオデータの現在ピクチャのための参照ピクチャのセットは、以下の参照ピクチャサブセット：ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒおよびＲｅｆＰｉｃＳｅｔＬｔＦｏｌｌからなり、ＲｅｆＰｉｃＳｅｔＳｔＬｔＣｕｒｒおよびＲｅｆＰｉｃＳｅｔＬｔＦｏｌｌ中の参照ピクチャは、長期参照ピクチャ（ＬＴＲＰ）であり、
前記ビデオデータを符号化することは、前記現在ピクチャの現在スライスのためのスライスヘッダ中で、１つまたは複数の長期参照ピクチャ（ＬＴＲＰ）エントリのセットをシグナリングすることを備え、
前記１つまたは複数のＬＴＲＰエントリのセットのうちの各それぞれのＬＴＲＰエントリが、第１のシンタックス要素および第２のシンタックス要素からなるタプルであり、前記第１のシンタックス要素は、前記ＬＴＲＰのそれぞれのＬＴＲＰのピクチャ順序カウント（ＰＯＣ）値の最下位ビットを示し、前記第２のシンタックス要素は、前記それぞれのＬＴＲＰが前記現在ピクチャによって参照のために使用されるかどうかを示し、
前記スライスヘッダは、前記スライスヘッダが、同じ参照ピクチャを参照する２つのＬＴＲＰエントリをシグナリングすることを禁止する制限に従う、
前記符号化されたビデオデータを出力することと、
を備える、方法。
【請求項２８】
前記方法が、前記現在ピクチャに適用可能であるシーケンスパラメータセット（ＳＰＳ）を生成することをさらに備え、前記ＳＰＳが、特定の参照ピクチャを参照する特定のＬＴＲＰエントリを含み、前記特定のＬＴＲＰエントリは、前記１つまたは複数のＬＴＲＰエントリのセット中にあり、
前記スライスヘッダ中で前記１つまたは複数のＬＴＲＰエントリのセットをシグナリングすることが、前記スライスヘッダ中に、前記特定のＬＴＲＰエントリへのインデックスを含めることを備える、請求項２７に記載の方法。
【請求項２９】
前記特定のＬＴＲＰエントリは第１のＬＴＲＰエントリであり、前記スライスヘッダは、前記特定の参照ピクチャが前記現在ピクチャの長期参照ピクチャセット中にあることを第２のＬＴＲＰエントリが示さない場合のみ、前記第２のＬＴＲＰエントリを含む、請求項２８に記載の方法。
【請求項３０】
前記特定のＬＴＲＰエントリは第１のＬＴＲＰエントリであり、
前記ＳＰＳが前記第１のＬＴＲＰエントリと第２のＬＴＲＰエントリとを含み、
前記スライスヘッダ中で前記１つまたは複数のＬＴＲＰエントリのセットをシグナリングすることは、前記特定の参照ピクチャが前記現在ピクチャの長期参照ピクチャセット中にあることを前記第２のＬＴＲＰエントリが示さない場合のみ、前記スライスヘッダ中に前記第２のＬＴＲＰエントリへのインデックスを含めることを備える、請求項２８に記載の方法。
【請求項３１】
前記ＳＰＳを生成することは、前記ＳＰＳが前記特定のＬＴＲＰエントリのコピーをすでに含まない場合のみ、前記ＳＰＳが前記特定のＬＴＲＰエントリを含むような前記ＳＰＳを生成することを備える、請求項２８に記載の方法。
【請求項３２】
前記ＳＰＳを生成することは、前記ＳＰＳが同じＬＴＲＰエントリの２つ以上のコピーを含むことを禁止する制限に前記ＳＰＳが従うような前記ＳＰＳを生成することを備える、請求項２８に記載の方法。
【請求項３３】
前記ＳＰＳ中の各それぞれのＬＴＲＰエントリについて、前記スライスヘッダは、前記スライスヘッダが前記それぞれのＬＴＲＰエントリへの前記インデックスのコピーをすでに含まない場合のみ、前記それぞれのＬＴＲＰエントリへのインデックスを含む、請求項２８に記載の方法。
【請求項３４】
前記スライスヘッダは、前記スライスヘッダが前記ＳＰＳ中の単一のＬＴＲＰエントリへの２つのインデックスを含むことを禁止する制限に従う、請求項２８に記載の方法。
【請求項３５】
前記ＳＰＳ中の各それぞれのＬＴＲＰエントリについて、前記スライスヘッダは、前記ＳＰＳ中の前記それぞれのＬＴＲＰエントリに一致するＬＴＲＰエントリを含まない、請求項２８に記載の方法。
【請求項３６】
前記特定のＬＴＲＰエントリは第１のＬＴＲＰエントリであり、前記スライスヘッダは、前記スライスヘッダが前記ＳＰＳ中の等価ＬＴＲＰエントリへのインデックスを含む場合、前記スライスヘッダが第２のＬＴＲＰエントリを含むことを禁止する制限に従い、ここにおいて、前記第２のＬＴＲＰエントリが最下位ビット（ＬＳＢ）シンタックス要素と使用シンタックス要素とを含み、前記等価ＬＴＲＰエントリが、前記第２のＬＴＲＰエントリの前記ＬＳＢシンタックス要素に一致するＬＳＢシンタックス要素を含み、前記等価ＬＴＲＰエントリが、前記第２のＬＴＲＰエントリの前記使用シンタックス要素に一致する使用シンタックス要素を含み、ここにおいて、前記第２のＬＴＲＰエントリの前記ＬＳＢシンタックス要素と前記等価ＬＴＲＰエントリの前記ＬＳＢシンタックス要素とがピクチャ順序カウント（ＰＯＣ）値のＬＳＢを示し、ここにおいて、前記第２のＬＴＲＰエントリの前記使用シンタックス要素と前記等価ＬＴＲＰエントリの前記使用シンタックス要素とは、前記現在ピクチャによって参照のために参照ピクチャが使用されるかどうかを示す、請求項２８に記載の方法。
【請求項３７】
１つまたは複数のＬＴＲＰエントリのセットをシグナリングすることが、
前記スライスヘッダ中で、特定の参照ピクチャが前記現在ピクチャの長期参照ピクチャセット中に示す第１のＬＴＲＰエントリをシグナリングすることと、
前記特定の参照ピクチャが前記現在ピクチャの前記長期参照ピクチャセット中にあることを第２のＬＴＲＰエントリが示さない場合のみ、前記スライスヘッダ中で、前記第２のＬＴＲＰエントリをシグナリングすることとを備える、請求項２７に記載の方法。
【請求項３８】
前記スライスヘッダが、同じＰＯＣ値を有する参照ピクチャを示す２つのＬＴＲＰエントリを含むことを禁止する制限に前記スライスヘッダが従う、請求項２７に記載の方法。
【請求項３９】
前記スライスヘッダは、前記ＲｅｆＰｉｃＳｅｔＬｔＣｕｒｒが、同じＰＯＣ値をもつ２つの参照ピクチャを含むことを禁止する制限と、前記ＲｅｆＰｉｃＳｅｔＬｔＦｏｌｌが、同じＰＯＣ値をもつ２つの参照ピクチャを含むことを禁止する制限と、前記ＲｅｆＰｉｃＳｅｔＬｔＣｕｒｒおよび前記ＲｅｆＰｉｃＳｅｔＬｔＦｏｌｌが同じＰＯＣ値をもつ参照ピクチャを含むことを禁止する制限とに従う、請求項２７に記載の方法。
【請求項４０】
ビデオデータを符号化することを行うように構成された１つまたは複数のプロセッサと、ここにおいて、
前記ビデオデータの現在ピクチャのための参照ピクチャのセットは、以下の参照ピクチャサブセット：ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒおよびＲｅｆＰｉｃＳｅｔＬｔＦｏｌｌからなり、ＲｅｆＰｉｃＳｅｔＳｔＬｔＣｕｒｒおよびＲｅｆＰｉｃＳｅｔＬｔＦｏｌｌ中の参照ピクチャは、長期参照ピクチャ（ＬＴＲＰ）であり、
前記ビデオデータを符号化することの一部として、前記１つまたは複数のプロセッサは、前記現在ピクチャの現在スライスのためのスライスヘッダ中で、１つまたは複数の長期参照ピクチャ（ＬＴＲＰ）エントリのセットをシグナリングし、
前記１つまたは複数のＬＴＲＰエントリのセットのうちの各それぞれのＬＴＲＰエントリが、第１のシンタックス要素および第２のシンタックス要素からなるタプルであり、前記第１のシンタックス要素は、前記ＬＴＲＰのそれぞれのＬＴＲＰのピクチャ順序カウント（ＰＯＣ）値の最下位ビットを示し、前記第２のシンタックス要素は、前記それぞれのＬＴＲＰが前記現在ピクチャによって参照のために使用されるかどうかを示し、
前記スライスヘッダは、前記スライスヘッダが、同じ参照ピクチャを参照する２つのＬＴＲＰエントリをシグナリングすることを禁止する制限に従う、
前記符号化されたビデオデータを出力するように構成された出力インターフェースと、
を備える、ビデオ符号化デバイス。
【請求項４１】
前記１つまたは複数のプロセッサは、
前記現在ピクチャに適用可能であるシーケンスパラメータセット（ＳＰＳ）を生成することと、前記ＳＰＳが、特定の参照ピクチャを参照する特定のＬＴＲＰエントリを含み、前記特定のＬＴＲＰエントリは、前記１つまたは複数のＬＴＲＰエントリのセット中にあり、
部分的に前記スライスヘッダ中に前記特定のＬＴＲＰエントリへのインデックスを含めることによって、前記スライスヘッダ中で前記１つまたは複数のＬＴＲＰエントリのセットをシグナリングすることとを行うように構成された、請求項４０に記載のビデオ符号化デバイス。
【請求項４２】
前記特定のＬＴＲＰエントリは第１のＬＴＲＰエントリであり、前記スライスヘッダは、前記特定の参照ピクチャが前記現在ピクチャの長期参照ピクチャセット中にあることを第２のＬＴＲＰエントリが示さない場合のみ、前記第２のＬＴＲＰエントリを含む、請求項４１に記載のビデオ符号化デバイス。
【請求項４３】
前記特定のＬＴＲＰエントリは第１のＬＴＲＰエントリであり、
前記ＳＰＳが前記第１のＬＴＲＰエントリと第２のＬＴＲＰエントリとを含み、
前記１つまたは複数のプロセッサは、前記特定の参照ピクチャが前記現在ピクチャの長期参照ピクチャセット中にあることを前記第２のＬＴＲＰエントリが示さない場合のみ、前記スライスヘッダ中に前記第２のＬＴＲＰエントリへのインデックスを含めるように構成された、請求項４１記載のビデオ符号化デバイス。
【請求項４４】
前記１つまたは複数のプロセッサは、前記ＳＰＳが前記特定のＬＴＲＰエントリのコピーをすでに含まない場合のみ、前記ＳＰＳが前記特定のＬＴＲＰエントリを含むような前記ＳＰＳを生成するように構成された、請求項４１に記載のビデオ符号化デバイス。
【請求項４５】
前記１つまたは複数のプロセッサは、前記ＳＰＳが同じＬＴＲＰエントリの２つ以上のコピーを含むことを禁止する制限に前記ＳＰＳが従うような前記ＳＰＳを生成するように構成された、請求項４１に記載のビデオ符号化デバイス。
【請求項４６】
前記ＳＰＳ中の各それぞれのＬＴＲＰエントリについて、前記スライスヘッダは、前記スライスヘッダが前記それぞれのＬＴＲＰエントリへの前記インデックスのコピーをすでに含まない場合のみ、前記それぞれのＬＴＲＰエントリへのインデックスを含む、請求項４１に記載のビデオ符号化デバイス。
【請求項４７】
前記１つまたは複数のプロセッサは、前記スライスヘッダが前記ＳＰＳ中の単一のＬＴＲＰエントリへの２つのインデックスを含むことを禁止する制限に前記スライスヘッダが従うような前記スライスヘッダを生成するように構成された、請求項４１に記載のビデオ符号化デバイス。
【請求項４８】
前記ＳＰＳ中の各それぞれのＬＴＲＰエントリについて、前記スライスヘッダは、前記ＳＰＳ中の前記それぞれのＬＴＲＰエントリに一致するＬＴＲＰエントリを含まない、請求項４１に記載のビデオ符号化デバイス。
【請求項４９】
前記特定のＬＴＲＰエントリは第１のＬＴＲＰエントリであり、前記１つまたは複数のプロセッサは、前記スライスヘッダが前記ＳＰＳ中の等価ＬＴＲＰエントリへのインデックスを含む場合、前記スライスヘッダが第２のＬＴＲＰエントリを含むことを禁止する制限に前記スライスヘッダが従うような前記スライスヘッダを生成するように構成され、ここにおいて、前記第２のＬＴＲＰエントリが最下位ビット（ＬＳＢ）シンタックス要素と使用シンタックス要素とを含み、前記等価ＬＴＲＰエントリが、前記第２のＬＴＲＰエントリの前記ＬＳＢシンタックス要素に一致するＬＳＢシンタックス要素を含み、前記等価ＬＴＲＰエントリが、前記第２のＬＴＲＰエントリの前記使用シンタックス要素に一致する使用シンタックス要素を含み、ここにおいて、前記第２のＬＴＲＰエントリの前記ＬＳＢシンタックス要素と前記等価ＬＴＲＰエントリの前記ＬＳＢシンタックス要素とがピクチャ順序カウント（ＰＯＣ）値のＬＳＢを示し、ここにおいて、前記第２のＬＴＲＰエントリの前記使用シンタックス要素と前記等価ＬＴＲＰエントリの前記使用シンタックス要素とは、前記現在ピクチャによって参照のために参照ピクチャが使用されるかどうかを示す、請求項４１に記載のビデオ符号化デバイス。
【請求項５０】
前記１つまたは複数のプロセッサは、
前記スライスヘッダ中で、特定の参照ピクチャが前記現在ピクチャの長期参照ピクチャセット中にあることを示す第１のＬＴＲＰエントリをシグナリングすることと、
前記特定の参照ピクチャが前記現在ピクチャの前記長期参照ピクチャセット中にあることを第２のＬＴＲＰエントリが示さない場合のみ、前記スライスヘッダ中で、前記第２のＬＴＲＰエントリをシグナリングすることとを行うように構成された、請求項４０に記載のビデオ符号化デバイス。
【請求項５１】
前記１つまたは複数のプロセッサは、前記スライスヘッダが、同じＰＯＣ値を有する参照ピクチャを示す２つのＬＴＲＰエントリを含むことを禁止する制限に前記スライスヘッダが従うような前記スライスヘッダを生成するように構成された、請求項４０に記載のビデオ符号化デバイス。
【請求項５２】
前記ＲｅｆＰｉｃＳｅｔＬｔＣｕｒｒが、同じＰＯＣ値をもつ２つの参照ピクチャを含むことを禁止する制限と、前記ＲｅｆＰｉｃＳｅｔＬｔＦｏｌｌが、同じＰＯＣ値をもつ２つの参照ピクチャを含むことを禁止する制限と、前記ＲｅｆＰｉｃＳｅｔＬｔＣｕｒｒおよび前記ＲｅｆＰｉｃＳｅｔＬｔＦｏｌｌが同じＰＯＣ値をもつ参照ピクチャを含むことを禁止する制限とに前記スライスヘッダが従う、請求項４０に記載のビデオ符号化デバイス。
【請求項５３】
ビデオデータを符号化するための手段と、ここにおいて、
前記ビデオデータの現在ピクチャのための参照ピクチャのセットは、以下の参照ピクチャサブセット：ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒおよびＲｅｆＰｉｃＳｅｔＬｔＦｏｌｌからなり、ＲｅｆＰｉｃＳｅｔＳｔＬｔＣｕｒｒおよびＲｅｆＰｉｃＳｅｔＬｔＦｏｌｌ中の参照ピクチャは、長期参照ピクチャ（ＬＴＲＰ）であり、
前記ビデオデータを符号化するための手段は、前記現在ピクチャの現在スライスのためのスライスヘッダ中で、１つまたは複数の長期参照ピクチャ（ＬＴＲＰ）エントリのセットをシグナリングするための手段を備え、
前記１つまたは複数のＬＴＲＰエントリのセットのうちの各それぞれのＬＴＲＰエントリが、第１のシンタックス要素および第２のシンタックス要素からなるタプルであり、前記第１のシンタックス要素は、前記ＬＴＲＰのそれぞれのＬＴＲＰのピクチャ順序カウント（ＰＯＣ）値の最下位ビットを示し、前記第２のシンタックス要素は、前記それぞれのＬＴＲＰが前記現在ピクチャによって参照のために使用されるかどうかを示し、
前記スライスヘッダは、前記スライスヘッダが、同じ参照ピクチャを参照する２つのＬＴＲＰエントリをシグナリングすることを禁止する制限に従う、
前記符号化されたビデオデータを出力するための手段と、
を備える、ビデオ符号化デバイス。
【請求項５４】
ビデオ符号化デバイスによって実行されたとき、
ビデオデータを符号化することと、ここにおいて、
前記ビデオデータの現在ピクチャのための参照ピクチャのセットは、以下の参照ピクチャサブセット：ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒおよびＲｅｆＰｉｃＳｅｔＬｔＦｏｌｌからなり、ＲｅｆＰｉｃＳｅｔＳｔＬｔＣｕｒｒおよびＲｅｆＰｉｃＳｅｔＬｔＦｏｌｌ中の参照ピクチャは、長期参照ピクチャ（ＬＴＲＰ）であり、
前記ビデオデータを符号化するように前記ビデオ符号化デバイスを構成することの一部として、命令は、前記現在ピクチャの現在スライスのためのスライスヘッダ中で、１つまたは複数の長期参照ピクチャ（ＬＴＲＰ）エントリのセットをシグナリングすることを行うように前記ビデオ符号化デバイスを構成し、
前記１つまたは複数のＬＴＲＰエントリのセットのうちの各それぞれのＬＴＲＰエントリが、第１のシンタックス要素および第２のシンタックス要素からなるタプルであり、前記第１のシンタックス要素は、前記ＬＴＲＰのそれぞれのＬＴＲＰのピクチャ順序カウント（ＰＯＣ）値の最下位ビットを示し、前記第２のシンタックス要素は、前記それぞれのＬＴＲＰが前記現在ピクチャによって参照のために使用されるかどうかを示し、
前記スライスヘッダは、前記スライスヘッダが、同じ参照ピクチャを参照する２つのＬＴＲＰエントリをシグナリングすることを禁止する制限に従う、
前記符号化されたビデオデータを出力することと、
を行うように前記ビデオ符号化デバイスを構成する前記命令を記憶した非一時的なコンピュータ可読記憶媒体。